(57)【要約】【課題】通常時よりも消費電力が抑制された低消費電力モード時における消費電力を低減することができるコードレス通信システムを提供すること。【解決手段】親機１０が低消費電力モードに移行することで、親機情報無線通信回路１６への電力供給が遮断され、無線通信が不可能となっても、親機電灯線通信回路１９が親機起動コマンドを受信すると、親機１０を通常モードへ移行させ、親機情報無線通信回路１６への電力供給を再開する。また、子機６０が低消費電力モードに移行することで、子機情報無線通信回路６６への電力供給が遮断され、無線通信が不可能となっても、子機通信回路６８が子機起動コマンドを受信すると、子機６０を通常モードへ移行させ、子機情報無線通信回路６６への電力供給を再開する。従って、低消費電力モード時において親機情報無線通信回路１６および子機情報無線通信回路６６への電力供給を遮断することができる。【選択図】図１
2008166986.tif 000002
【特許請求の範囲】
【請求項１】
通信回線と接続され、無線通信を実行する親機無線通信手段を有する親機と、その親機の親機無線通信手段と無線通信を実行する子機無線通信手段を有する子機とを備えるコードレス通信システムであって、
前記子機は、
前記子機無線通信手段とは別に設けられ、信号の通信を行う子機通信手段と、
前記子機無線通信手段への電力供給を実行する通常モードと該電力供給を遮断する低消費電力モードとに切り替える子機切替手段と、
その子機切替手段によって前記子機無線通信手段への電力供給が遮断された低消費電力モードにおいて、前記子機通信手段により前記子機の低消費電力モードを解除させる子機起動信号を受信した場合に、前記子機切替手段に前記子機無線通信手段への電力供給を実行させて低消費電力モードを解除し通常モードとする子機起動制御手段とを備えていることを特徴とするコードレス通信システム。
【請求項２】
前記親機は、
前記親機無線通信手段とは別に設けられ、前記信号の通信を行う親機通信手段と、
前記親機無線通信手段への電力供給を実行する通常モードと該電力供給を遮断する低消費電力モードとに切り替える親機切替手段と、
前記通信回線からの着呼を検出する親機着呼検出手段と、
前記親機への使用者による入力操作を検出する親機入力検出手段と、
前記親機切替手段によって前記親機無線通信手段への電力供給が遮断された低消費電力モードにおいて、前記親機着呼検出手段が着呼を検出した場合または前記親機入力検出手段が入力操作を検出した場合に、前記親機通信手段により前記子機起動信号を送信させると共に、前記親機切替手段に前記親機無線通信手段への電力供給を実行させて低消費電力モードを解除し通常モードとする親機起動制御手段とを備えていることを特徴とする請求項１記載のコードレス通信システム。
【請求項３】
前記親機は、
前記通信回線の開放後所定時間経過した場合または前記親機入力検出手段による入力操作の検出が所定時間経過してもない場合に、前記親機無線通信手段または親機通信手段の少なくとも一方から前記子機停止信号を送信させると共に、前記親機切替手段によって前記親機無線通信手段への電力供給を遮断して低消費電力モードとする親機停止制御手段を備え、
前記子機は、
前記子機通信手段または前記子機無線通信手段の少なくとも一方から前記子機停止信号を受信した場合に、前記子機切替手段によって前記子機無線通信手段への電力供給を遮断して低消費電力モードする子機停止制御手段を備えていることを特徴とする請求項２記載のコードレス通信システム。
【請求項４】
通信回線と接続され、無線通信を実行する親機無線通信手段を有する親機と、その親機の親機無線通信手段と無線通信を実行する子機無線通信手段を有する子機とを備えるコードレス通信システムであって、
前記親機は、
前記親機無線通信手段とは別に設けられ、信号の通信を行う親機通信手段と、
前記親機無線通信手段への電力供給を実行する通常モードと該電力供給を遮断する低消費電力モードとに切り替える親機切替手段と、
その親機切替手段によって前記親機無線通信手段への電力供給が遮断された低消費電力モードにおいて、前記親機通信手段により前記親機の低消費電力モードを解除させる親機起動信号を受信した場合に、前記親機切替手段に前記親機無線通信手段への電力供給を実行させて低消費電力モードを解除し通常モードとする第２親機起動制御手段とを備えていることを特徴とするコードレス通信システム。
【請求項５】
前記子機は、
前記子機無線通信手段とは別に設けられ、前記信号の通信を行う子機通信手段と、
前記子機無線通信手段への電力供給を実行する通常モードと該電力供給を遮断する低消費電力モードとに切り替える子機切替手段と、
前記子機への使用者による入力操作を検出する子機入力検出手段と、
前記子機切替手段によって前記子機無線通信手段への電力供給が遮断された低消費電力モードにおいて、前記子機入力検出手段が入力操作を検出した場合に、前記子機通信手段により前記親機起動信号を送信すると共に、前記子機切替手段に前記子機無線通信手段への電力供給を実行させて低消費電力モードを解除し通常モードとする第２子機起動制御手段とを備えていることを特徴とする請求項４記載のコードレス通信システム。
【請求項６】
前記子機は、
前記親機からの無線通信を検出する無線通信検出手段と、
前記親機との無線通信終了後所定時間経過した場合または前記子機入力検出手段による入力操作の検出が所定時間経過してもない場合に、前記子機無線通信手段または子機通信手段の少なくとも一方から前記親機を前記低消費電力モードに切り替えるための親機停止信号を送信させると共に、前記子機切替手段によって前記子機無線通信手段への電力供給を遮断して低消費電力モードとする第２子機停止制御手段を備え、
前記親機は、
前記親機通信手段または前記親機無線通信手段の少なくとも一方から前記親機停止信号を受信した場合に、前記親機切替手段によって前記親機無線通信手段への電力供給を遮断して低消費電力モードする第２親機停止制御手段を備えていることを特徴とする請求項５記載のコードレス通信システム。
【請求項７】
前記子機が着脱自在に載置される充電台を備え、
その充電台に前記子機が載置されている場合に、その子機へ電力を供給して充電する充電手段と、
前記親機通信手段と前記子機通信手段とが通信する信号を中継するために、前記親機通信手段と信号の通信を行う第１中継通信手段と、
その第１中継通信手段と信号の通信を行うと共に、前記子機通信手段と信号の通信を行う第２中継通信手段とを備えていることを特徴とする請求項２若しくは３又は請求項５若しくは６のいずれかに記載のコードレス通信システム。
【請求項８】
前記充電台は、
その充電台に前記子機が載置された場合に、その載置された子機を検出する子機検出手段を備え、
その子機検出手段により前記子機の載置が検出された場合に、前記第１中継通信手段に前記親機停止信号を送信させる充電台通信制御手段を備え、
前記親機は、
前記親機通信手段が前記親機停止信号を受信した場合に、前記親機切替手段によって前記親機無線通信手段への電力供給を遮断して低消費電力モードとする第２親機停止制御手段を備えていることを特徴とする請求項３に従属する請求項７記載のコードレス通信システム。
【請求項９】
前記充電台は、
その充電台に前記子機が載置された場合に、その載置された子機を検出する子機検出手段を備え、
その子機検出手段により前記子機の載置が検出された場合に、前記第２中継通信手段に前記子機停止信号を送信させる充電台通信制御手段を備え、
前記子機は、
前記子機通信手段が前記子機停止信号を受信した場合に、前記子機切替手段によって前記子機無線通信手段への電力供給を遮断して低消費電力モードとする子機停止制御手段を備えていることを特徴とする請求項６に従属する請求項７記載のコードレス通信システム。
【請求項１０】
前記親機通信手段および第１中継通信手段は、商用電源線に接続されており、その商用電源線を介して信号の通信を行うように構成されていることを特徴とする請求項７から９のいずれかに記載のコードレス通信システム。
【請求項１１】
前記第２中継通信手段および子機通信手段は、無線通信によって信号の通信を行うように構成されていることを特徴とする請求項７から１０のいずれかに記載のコードレス通信システム。
【発明の詳細な説明】
【技術分野】
【０００１】
本発明はコードレス通信システムに関し、特に、通常時よりも消費電力が抑制された低消費電力モード時における消費電力を低減することができるコードレス通信システムに関するものである。
【背景技術】
【０００２】
親機と子機との間で無線による通信を行う電話機などのコードレス通信システムに関しては、例えば、特許文献１記載のデジタル変調方式のコードレス電話装置が知られている。このデジタル変調方式のコードレス電話装置は、親機と子機とを備え、親機と子機との通信が終了すると、親機と子機とは共に待機状態に戻るように構成されている。そして、親機と子機とが待機状態に戻ると、親機は子機に対して、一定周期でデータを送信し、その送信されたデータを子機が一定周期で受信する。さらに、子機が親機からのデータを受信すると、子機は親機へ応答のデータを送信する。このように、かかる特許文献１には、一定周期で親機と子機とが送受信を行うデジタル変調方式のコードレス電話装置が開示されている。
【０００３】
上述のように、一定周期で親機と子機とが送受信を行うのは、デジタル変調方式のコードレス電話装置では一般的に周波数ホッピング方式のスペクトラム拡散技術を採用しており、親機と子機とは互いに定期的に送受信を行う周波数を変更しているので、親機と子機とが送受信を行う周波数を常に同一に保つ必要があるからである。このように、一定周期で親機と子機とが送受信を行うことによって、親機が、公衆回線からの着呼を検出し、子機に受話データを送信しても、子機は即座に親機から送信された受話データを受信することができる。
【特許文献１】特開平６−３３８８３８号公報
【発明の開示】
【発明が解決しようとする課題】
【０００４】
しかしながら、デジタル変調方式のコードレス電話装置では、待機状態において、一定周期で親機と子機とが送受信を行っているので、親機と子機とが互いに送受信を行う送受信部に電力を供給する必要がある。万一、親機と子機との送受信部への電力を遮断すると、親機が公衆回線からの着呼を検出しても、親機から子機へ受話データを送信することができないし、もし親機が子機へ受話データを送信できたとしても子機の送受信部に電力が供給されていないので、子機は親機から送信された受話データを受信することができない。よって、コードレス電話装置は、待機状態になり、例えば所定時間経過して、その待機状態が通常時よりも消費電力が抑制された低消費電力モードに移行した場合にも、送受信部に供給される電力を完全に遮断することができず、低消費電力モード時にコードレス電話装置で消費される電力を低減することができないという問題点があった。
【０００５】
本発明は、上述した問題点を解決するためになされたものであり、通常時よりも消費電力が抑制された低消費電力モード時における消費電力を低減することができるコードレス通信システムを提供することを目的としている。
【課題を解決するための手段】
【０００６】
この目的を達成するために請求項１記載のコードレス通信システムは、通信回線と接続され、無線通信を実行する親機無線通信手段を有する親機と、その親機の親機無線通信手段と無線通信を実行する子機無線通信手段を有する子機とを備え、前記子機は、前記子機無線通信手段とは別に設けられ、信号の通信を行う子機通信手段と、前記子機無線通信手段への電力供給を実行する通常モードと該電力供給を遮断する低消費電力モードとに切り替える子機切替手段と、その子機切替手段によって前記子機無線通信手段への電力供給が遮断された低消費電力モードにおいて、前記子機通信手段により前記子機の低消費電力モードを解除させる子機起動信号を受信した場合に、前記子機切替手段に前記子機無線通信手段への電力供給を実行させて低消費電力モードを解除し通常モードとする子機起動制御手段とを備えている。
【０００７】
請求項２記載のコードレス通信システムは、請求項１記載のコードレス通信システムにおいて、前記親機は、前記親機無線通信手段とは別に設けられ、前記信号の通信を行う親機通信手段と、前記親機無線通信手段への電力供給を実行する通常モードと該電力供給を遮断する低消費電力モードとに切り替える親機切替手段と、前記通信回線からの着呼を検出する親機着呼検出手段と、前記親機への使用者による入力操作を検出する親機入力検出手段と、前記親機切替手段によって前記親機無線通信手段への電力供給が遮断された低消費電力モードにおいて、前記親機着呼検出手段が着呼を検出した場合または前記親機入力検出手段が入力操作を検出した場合に、前記親機通信手段により前記子機起動信号を送信させると共に、前記親機切替手段に前記親機無線通信手段への電力供給を実行させて低消費電力モードを解除し通常モードとする親機起動制御手段とを備えている。
【０００８】
請求項３記載のコードレス通信システムは、請求項２記載のコードレス通信システムにおいて、前記親機は、前記通信回線の開放後所定時間経過した場合または前記親機入力検出手段による入力操作の検出が所定時間経過してもない場合に、前記親機無線通信手段または親機通信手段の少なくとも一方から前記子機停止信号を送信させると共に、前記親機切替手段によって前記親機無線通信手段への電力供給を遮断して低消費電力モードとする親機停止制御手段を備え、前記子機は、前記子機通信手段または前記子機無線通信手段の少なくとも一方から前記子機停止信号を受信した場合に、前記子機切替手段によって前記子機無線通信手段への電力供給を遮断して低消費電力モードする子機停止制御手段を備えている。
【０００９】
請求項４記載のコードレス通信システムは、通信回線と接続され、無線通信を実行する親機無線通信手段を有する親機と、その親機の親機無線通信手段と無線通信を実行する子機無線通信手段を有する子機とを備え、前記親機は、前記親機無線通信手段とは別に設けられ、信号の通信を行う親機通信手段と、前記親機無線通信手段への電力供給を実行する通常モードと該電力供給を遮断する低消費電力モードとに切り替える親機切替手段と、その親機切替手段によって前記親機無線通信手段への電力供給が遮断された低消費電力モードにおいて、前記親機通信手段により前記親機の低消費電力モードを解除させる親機起動信号を受信した場合に、前記親機切替手段に前記親機無線通信手段への電力供給を実行させて低消費電力モードを解除し通常モードとする第２親機起動制御手段とを備えている。
【００１０】
請求項５記載のコードレス通信システムは、請求項４記載のコードレス通信システムにおいて、前記子機は、前記子機無線通信手段とは別に設けられ、前記信号の通信を行う子機通信手段と、前記子機無線通信手段への電力供給を実行する通常モードと該電力供給を遮断する低消費電力モードとに切り替える子機切替手段と、前記子機への使用者による入力操作を検出する子機入力検出手段と、前記子機切替手段によって前記子機無線通信手段への電力供給が遮断された低消費電力モードにおいて、前記子機入力検出手段が入力操作を検出した場合に、前記子機通信手段により前記親機起動信号を送信すると共に、前記子機切替手段に前記子機無線通信手段への電力供給を実行させて低消費電力モードを解除し通常モードとする第２子機起動制御手段とを備えている。
【００１１】
請求項６記載のコードレス通信システムは、請求項５記載のコードレス通信システムにおいて、前記子機は、前記親機からの無線通信を検出する無線通信検出手段と、前記親機との無線通信終了後所定時間経過した場合または前記子機入力検出手段による入力操作の検出が所定時間経過してもない場合に、前記子機無線通信手段または子機通信手段の少なくとも一方から前記親機を前記低消費電力モードに切り替えるための親機停止信号を送信させると共に、前記子機切替手段によって前記子機無線通信手段への電力供給を遮断して低消費電力モードとする第２子機停止制御手段を備え、前記親機は、前記親機通信手段または前記親機無線通信手段の少なくとも一方から前記親機停止信号を受信した場合に、前記親機切替手段によって前記親機無線通信手段への電力供給を遮断して低消費電力モードする第２親機停止制御手段を備えている。
【００１２】
請求項７記載のコードレス通信システムは、請求項２若しくは３又は請求項５若しくは６のいずれかに記載のコードレス通信システムにおいて、前記子機が着脱自在に載置される充電台を備え、その充電台に前記子機が載置されている場合に、その子機へ電力を供給して充電する充電手段と、前記親機通信手段と前記子機通信手段とが通信する信号を中継するために、前記親機通信手段と信号の通信を行う第１中継通信手段と、その第１中継通信手段と信号の通信を行うと共に、前記子機通信手段と信号の通信を行う第２中継通信手段とを備えている。
【００１３】
請求項８記載のコードレス通信システムは、請求項３に従属する請求項７記載のコードレス通信システムにおいて、前記充電台は、その充電台に前記子機が載置された場合に、その載置された子機を検出する子機検出手段を備え、その子機検出手段により前記子機の載置が検出された場合に、前記第１中継通信手段に前記親機停止信号を送信させる充電台通信制御手段を備え、前記親機は、前記親機通信手段が前記親機停止信号を受信した場合に、前記親機切替手段によって前記親機無線通信手段への電力供給を遮断して低消費電力モードとする第２親機停止制御手段を備えている。
【００１４】
請求項９記載のコードレス通信システムは、請求項６に従属する請求項７記載のコードレス通信システムにおいて、前記充電台は、その充電台に前記子機が載置された場合に、その載置された子機を検出する子機検出手段を備え、その子機検出手段により前記子機の載置が検出された場合に、前記第２中継通信手段に前記子機停止信号を送信させる充電台通信制御手段を備え、前記子機は、前記子機通信手段が前記子機停止信号を受信した場合に、前記子機切替手段によって前記子機無線通信手段への電力供給を遮断して低消費電力モードとする子機停止制御手段を備えている。
【００１５】
請求項１０記載のコードレス通信システムは、請求項７から９のいずれかに記載のコードレス通信システムにおいて、前記親機通信手段および第１中継通信手段は、商用電源線に接続されており、その商用電源線を介して信号の通信を行うように構成されている。
【００１６】
請求項１１記載のコードレス通信システムは、請求項７から１０のいずれかに記載のコードレス通信システムにおいて、前記第２中継通信手段および子機通信手段は、無線通信によって信号の通信を行うように構成されている。
【発明の効果】
【００１７】
請求項１記載のコードレス通信システムによれば、子機に設けられた子機切替手段によって、子機無線通信手段への電力供給を実行する通常モードから低消費電力モードに切り替えられると、子機無線通信手段への電力供給が遮断される。この低消費電力モード時において、子機無線通信手段とは別に設けられた子機通信手段が子機の低消費電力モードを解除させる子機起動信号を受信すると、子機起動制御手段は子機切替手段に子機無線通信手段への電力供給を実行させて低消費電力モードを解除し通常モードとする。このように、子機切替手段によって低消費電力モードに切り替えられ、子機無線通信手段の電力供給が遮断されて、子機無線通信手段によって子機起動信号を受信できない場合でも、子機通信手段により子機起動信号を受信することにより、子機の低消費電力モードを解除し通常モードとすることができる。よって、子機が低消費電力モードに切り替えられた場合に、子機無線通信手段への電力供給を遮断することができる。従って、低消費電力モード時におけるコードレス通信システムの消費電力を低減することができるという効果がある。
【００１８】
請求項２記載のコードレス通信システムによれば、請求項１記載のコードレス通信システムの奏する効果に加え、親機に設けられた親機切替手段によって、親機無線通信手段への電力供給を実行する通常モードから低消費電力モードに切り替えられると、親機無線通信手段への電力供給が遮断される。この低消費電力モード時において、親機着呼検出手段が通信回線からの着呼を検出した場合または親機入力検出手段が使用者による入力操作を検出した場合には、親機起動制御手段は親機通信手段に子機起動信号を送信させると共に、親機切替手段に親機無線通信手段への電力供給を実行させて低消費電力モードを解除し通常モードとする。これにより、子機が低消費電力モードに切り替えられ、子機の子機無線通信手段への電力供給が遮断されていても、親機は親機通信手段から子機起動信号を送信することにより、子機の低消費電力モードを解除し通常モードとすることができる。さらに、親機が低消費電力モードに切り替えられ、親機無線通信手段への電力供給が遮断されていても、親機起動制御手段によって親機切替手段に親機無線通信手段への電力供給を実行させることにより、親機の低消費電力モードを解除し通常モードとすることができる。よって、親機および子機が低消費電力モードに切り替えられた場合に、親機無線通信手段および子機無線通信手段への電力供給を遮断することができる。従って、低消費電力モード時におけるコードレス通信システムの消費電力を低減することができるという効果がある。
【００１９】
請求項３記載のコードレス通信システムによれば、請求項２記載のコードレス通信システムの奏する効果に加え、通信回線の開放後所定時間経過した場合または親機入力検出手段による入力操作の検出が所定時間経過してもない場合には、親機停止制御手段は、親機切替手段により親機無線通信手段への電力供給を遮断させ、親機を低消費電力モードとする。さらに、親機停止制御手段は、親機無線通信手段または親機通信手段の少なくとも一方から子機停止信号を送信させる。また、子機停止制御手段は、子機通信手段または子機無線通信手段の少なくとも一方から子機停止信号を受信した場合に、子機切替手段により子機無線通信手段への電力供給を遮断させ、子機を低消費電力モードとする。よって、通信回線の開放後所定時間経過した場合または親機入力検出手段による入力操作の検出が所定時間経過してもない場合には、親機および子機を低消費電力モードに切り替え、親機無線通信手段および子機無線通信手段への電力供給を遮断することができる。従って、低消費電力モード時におけるコードレス通信システムの消費電力を低減することができるという効果がある。
【００２０】
請求項４記載のコードレス通信システムによれば、親機に設けられた親機切替手段によって、親機無線通信手段への電力供給を実行する通常モードから低消費電力モードに切り替えられると、親機無線通信手段への電力供給が遮断される。この低消費電力モード時において、親機無線通信手段とは別に設けられた親機通信手段が親機の低消費電力モードを解除させる親機起動信号を受信すると、第２親機起動制御手段は親機切替手段に親機無線通信手段への電力供給を実行させて低消費電力モードを解除し通常モードとする。このように、親機切替手段によって低消費電力モードに切り替えられ、親機無線通信手段の電力供給が遮断されて、親機無線通信手段によって親機起動信号を受信できない場合でも、親機通信手段により親機起動信号を受信することにより、親機の低消費電力モードを解除し通常モードとすることができる。よって、親機が低消費電力モードに切り替えられた場合に、親機無線通信手段への電力供給を遮断することができる。従って、低消費電力モード時におけるコードレス通信システムの消費電力を低減することができるという効果がある。
【００２１】
請求項５記載のコードレス通信システムによれば、請求項４記載のコードレス通信システムの奏する効果に加え、子機に設けられた子機切替手段によって、子機無線通信手段への電力供給を実行する通常モードから低消費電力モードに切り替えられると、子機無線通信手段への電力供給が遮断される。この低消費電力モード時において、子機入力検出手段が使用者による入力操作を検出した場合には、第２子機起動制御手段は子機通信手段に親機起動信号を送信させると共に、子機切替手段に子機無線通信手段への電力供給を実行させて低消費電力モードを解除し通常モードとする。これにより、親機が低消費電力モードに切り替えられ、親機の親機無線通信手段への電力供給が遮断されていても、子機は子機通信手段から親機起動信号を送信することにより、親機の低消費電力モードを解除し通常モードとすることができる。さらに、子機が低消費電力モードに切り替えられ、子機無線通信手段への電力供給が遮断されていても、第２子機起動制御手段によって子機切替手段に子機無線通信手段への電力供給を実行させることにより、子機の低消費電力モードを解除し通常モードとすることができる。よって、親機および子機が低消費電力モードに切り替えられた場合に、親機無線通信手段および子機無線通信手段への電力供給を遮断することができる。従って、低消費電力モード時におけるコードレス通信システムの消費電力を低減することができるという効果がある。
【００２２】
請求項６記載のコードレス通信システムによれば、請求項５記載のコードレス通信システムの奏する効果に加え、親機との無線通信終了後所定時間経過した場合または子機入力検出手段による入力操作の検出が所定時間経過してもない場合には、第２子機停止制御手段は、子機切替手段により親機無線通信手段への電力供給を遮断させ、子機を低消費電力モードとする。さらに、第２子機停止制御手段は、子機無線通信手段または子機通信手段の少なくとも一方から親機停止信号を送信させる。また、第２親機停止制御手段は、親機通信手段または親機無線通信手段の少なくとも一方から親機停止信号を受信した場合に、親機切替手段により親機無線通信手段への電力供給を遮断させ、親機を低消費電力モードとする。よって、親機との無線通信終了後所定時間経過した場合または子機入力検出手段による入力操作の検出が所定時間経過してもない場合には、親機および子機を低消費電力モードに切り替え、親機無線通信手段および子機無線通信手段への電力供給を遮断することができる。従って、低消費電力モード時におけるコードレス通信システムの消費電力を低減することができるという効果がある。
【００２３】
請求項７記載のコードレス通信システムによれば、請求項２若しくは３又は請求項５若しくは６のいずれかに記載のコードレス通信システムの奏する効果に加え、充電台は、充電台に子機が載置されている場合には、充電手段によってその子機に充電を行うと共に、親機通信手段から信号が送信されると、その信号を第１中継通信手段および第２中継通信手段で中継し、子機通信手段に受信させる。反対に、子機通信手段から信号が送信されると、その信号を第２中継通信手段および第１中継通信手段で中継し、親機通信手段に受信させる。よって、充電台に子機を載置して充電を行う場合に、親機通信手段と子機通信手段との間に充電台が介在したとしても、第１中継通信手段および第２中継通信手段によって親機通信手段と子機通信手段との信号の通信を中継することができる。従って、親機通信手段から送信される信号を確実に子機通信手段へ受信させ、子機の通常モードと低消費電力モードとの切り替えを確実に実行できるという効果がある。加えて、子機通信手段から送信される信号を確実に親機通信手段へ受信させ、親機の通常モードと低消費電力モードとの切り替えを確実に実行できるという効果がある。
【００２４】
請求項８記載のコードレス通信システムによれば、請求項３に従属する請求項７記載のコードレス通信システムの奏する効果に加え、充電台に子機が載置されたことが子機検出手段により検出されると、充電台通信制御手段は、第１中継通信手段に親機停止信号を送信させる。この親機停止信号を親機通信手段が受信した場合には、第２親機停止制御手段は、親機切替手段によって親機無線通信手段への電力供給を遮断して親機を低消費電力モードに切り替える。よって、充電台に子機が載置されると、親機を低消費電力モードに切り替え、親機切替手段によって親機無線通信手段への電力供給を遮断することができる。従って、低消費電力モード時におけるコードレス通信システムの消費電力を低減することができるという効果がある。
【００２５】
請求項９記載のコードレス通信システムによれば、請求項６に従属する請求項７記載のコードレス通信システムの奏する効果に加え、充電台に子機が載置されたことが子機検出手段により検出されると、充電台通信制御手段は、第２中継通信手段に子機停止信号を送信させる。この子機停止信号を子機通信手段が受信した場合には、子機停止制御手段は、子機切替手段によって子機無線通信手段への電力供給を遮断して子機を低消費電力モードに切り替える。よって、充電台に子機が載置されると、子機を低消費電力モードに切り替え、子機切替手段によって子機無線通信手段への電力供給を遮断することができる。従って、低消費電力モード時におけるコードレス通信システムの消費電力を低減することができるという効果がある。
【００２６】
請求項１０記載のコードレス通信システムによれば、請求項７から９のいずれかに記載のコードレス通信システムの奏する効果に加え、親機に設けられる親機通信手段と充電台に設けられる第１中継通信手段とは商用電源線に接続され、その商用電源線を介して信号の通信を行う。ここで、親機通信手段と第１中継通信手段とが商用電源線を介して信号の通信を行う場合は、赤外線による光無線データ通信方式であるIrDA(Infrared Data Association)や、赤外線による高速通信方式であるIrSimpleを用いる場合と比較して、親機通信手段と第１中継通信手段とが近距離である必要がない。また、親機通信手段と第１中継通信手段とが商用電源線を介して信号の通信を行う場合は既存の設備を利用するので、親機通信手段と第１中継通信手段との間に有線ＬＡＮを配設する場合と比較して、通信専用の回線を配設する必要がなく、設備投資費が不要となる。更に、親機通信手段と第１中継通信手段とが商用電源線を介して信号の通信を行う場合は、無線通信方式であるBluetoothを用いる場合と比較して、干渉の可能性が低い。よって、親機の親機通信手段と充電台の第１中継通信手段との信号の通信を、既存の設備を使用して確実に実行することができるという効果がある。
【００２７】
請求項１１記載のコードレス通信システムによれば、請求項７から１０のいずれかに記載のコードレス通信システムの奏する効果に加え、充電台に設けられる第２中継通信手段と子機に設けられる子機通信手段とは信号の通信を無線通信により行う。よって、子機が充電台に載置されていない場合でも、無線通信によって充電台と子機とは信号の通信を行うことができるという効果がある。
【発明を実施するための最良の形態】
【００２８】
以下、本発明の一実施の形態について添付図面を参照して説明する。図１は、コードレス通信システム１の電気的構成を示している。コードレス通信システム１は、親機１０と、その親機１０と周波数ホッピング方式のスペクトラム拡散技術により無線通信可能に構成されている子機６０と、その子機６０が載置されている場合に、その子機６０に充電を行う充電台４０とを主に有している。図１においては、まず、親機１０を説明し、その次に充電台４０を説明し、最後に子機６０を説明する。
【００２９】
親機１０は、子機６０と周波数ホッピング方式のスペクトラム拡散技術により無線通信を行うと共に、充電台４０と商用電源線８３を用いた電力線搬送通信を行うものである。図１に示すように、親機１０は、親機制御装置１１と、パネルゲートアレイ（以下、パネルＧＡとする）２０と、操作キー２１と、通信制御回路２２と、親機無線通信装置１５と、親機電力供給回路１８と、親機電灯線通信回路１９と、ＡＣコード２６とを備えている。なお、親機無線通信装置１５は、親機情報無線通信回路１６と親機電源入断切替回路１７とアンテナ２５とを備えている。
【００３０】
親機制御装置１１は、バスライン２４を介して、親機無線通信装置１５、親機電灯線通信回路１９、および通信制御回路２２の制御を行うと共に、パネルＧＡ２０から出力された信号を入力する装置である。親機制御装置１１は、ＣＰＵ１２とＲＯＭ１３とＲＡＭ１４とを主に有している。
【００３１】
ＣＰＵ１２は、親機１０の各部を制御する演算装置である。ＲＯＭ１３は、ＣＰＵ１２により実行される制御プログラム（例えば、図２から図４に示す処理のフローチャート）や子機６０へ送信する各種コマンド（子機低消費電力移行コマンドおよび子機起動コマンド）を格納した書き換え不能な不揮発性のメモリであり、ＲＡＭ１４は、制御プログラムの実行時に各種の情報を一時的に記憶するメモリである。
【００３２】
ＲＡＭ１４には、親機低消費電力モードフラグ１４ａが設けられている。親機低消費電力モードフラグ１４ａは、親機１０の親機情報無線通信回路１６へ電力が供給される通常モードか、親機情報無線通信回路１６へ電力が遮断される低消費電力モードかを示すフラグである。親機低消費電力モードフラグ１４ａは、親機１０の電源が供給された際に実行される初期化処理（図２のＳ１参照）で、まずオフに設定される。そして、その後に実行される各種処理に応じて、オンオフの設定が切り替えられる。親機低消費電力モードフラグ１４ａがオフに設定されると、ＣＰＵ１２は、親機１０が通常モードであると判断する。一方、親機低消費電力モードフラグ１４ａがオンに設定されると、ＣＰＵ１２は、親機１０が低消費電力モードであると判断する。
【００３３】
ＣＰＵ１２とＲＯＭ１３とＲＡＭ１４とは、バスライン２４を介して相互に接続されている。よって、親機１０の電源投入後は、ＣＰＵ１２は、ＲＯＭ１３から制御プログラムを読み出して、その読み出した制御プログラムを実行すると共に、制御プログラムの実行時に各種の情報をＲＡＭ１４に一時的に記憶させると共に、ＲＡＭ１４に記憶された各種情報を読み出して各種制御を実行する。
【００３４】
パネルＧＡ２０は、所望の指令を入力する操作キー２１を制御する装置である。パネルＧＡ２０は、操作者により操作される操作キー２１とバスラインにより接続されると共に、バスライン２４にも接続される。操作キー２１が操作者により操作されると、パネルＧＡ２０は、その操作されたキーを検出し、操作されたキーに応じた検出信号をバスライン２４に出力する。出力された検出信号はＣＰＵ１２に受信される。
【００３５】
通信制御回路２２は、電話回線２３と通信を実行するために信号の変調および復調を行う装置である。通信制御回路２２は、電話回線２３と通信線により接続されると共に、バスライン２４にも接続される。通信制御回路２２は、電話回線２３から着呼があると、電話回線２３から信号を受信する。そして、通信制御回路２２は、受信した信号を復調し、バスライン２４へ出力する。出力された信号はＣＰＵ１２に受信される。また、通信制御回路２２は、ＣＰＵ１２からバスライン２４を介して信号を入力すると、その入力された信号を変調し、電話回線２３へ送信する。
【００３６】
親機無線通信装置１５は、子機６０と周波数ホッピング方式のスペクトラム拡散技術により無線通信を行う装置である。親機情報無線通信回路１６は、送信する情報を高周波電流信号に変えてアンテナ２５に送り出す送信装置（図示せず）と、アンテナ２５が受信した高周波電流信号から必要となる情報を取り出す受信装置（図示せず）とが一体化された装置である。また、この他にも、親機情報無線通信回路１６には、発振信号を出力する発振回路や、信号を増幅する増幅回路等が設けられている。
【００３７】
親機情報無線通信回路１６は、アンテナ２５と接続されると共に、バスライン２４にもバスラインにより接続される。また、親機情報無線通信回路１６は、親機電源入断切替回路１７と電力を供給する供給線（矢印の先端が黒塗潰し）によって接続される。親機情報無線通信回路１６は、ＣＰＵ１２からの信号（音声信号や各種コマンド等）をバスライン２４を介して入力すると、その入力された信号を高周波電流信号に変換し、アンテナ２５から放射する。一方、親機情報無線通信回路１６は、アンテナ２５が受信した高周波電流信号を入力すると、その入力された高周波電流信号から必要となる信号（音声信号や各種コマンド等）を取り出し、バスライン２４へ出力する。出力された信号はＣＰＵ１２に受信される。なお、親機情報無線通信回路１６は、親機電源入断切替回路１７から電力が供給されている。従って、親機電源入断切替回路１７によって供給される電力が遮断され、親機１０が通常モードから低消費電力モードに移行すると、親機情報無線通信回路１６による無線通信は不可能となる。
【００３８】
親機電源入断切替回路１７は、親機情報無線通信回路１６への電力の供給と遮断を切り替える制御装置である。親機電源入断切替回路１７は、親機情報無線通信回路１６および親機電力供給回路１８と電力を供給する供給線（矢印の先端が黒塗潰し）によって接続される。また、親機電源入断切替回路１７は、バスライン２４ともバスラインにより接続される。親機電源入断切替回路１７は、ＣＰＵ１２からバスライン２４を介して電力供給遮断の指示が入力されると、親機電力供給回路１８から親機情報無線通信回路１６へ供給される電力を遮断し、親機１０を通常モードから低消費電力モードに移行させる。ここで、親機電源入断切替回路１７が親機電力供給回路１８から親機情報無線通信回路１６へ供給される電力を遮断し、親機１０を通常モードから低消費電力モードに移行させるのは、電話回線開放後５分経過している、または操作キー２１のキー入力後５分経過している場合および親機１０を通常モードから低消費電力モードに移行させる親機低消費電力移行コマンドを親機電灯線通信回路１９が受信した場合である。
【００３９】
一方、親機電源入断切替回路１７は、ＣＰＵ１２からバスライン２４を介して電力供給の指示が入力されると、親機電力供給回路１８から親機情報無線通信回路１６へ電力を供給させ、親機１０を低消費電力モードから通常モードに移行させる。ここで、親機電源入断切替回路１７が親機電力供給回路１８から親機情報無線通信回路１６へ電力を供給し、親機１０を低消費電力モードから通常モードに移行させるのは、電話回線２３からの着呼、または操作キー２１のキー入力があった場合および親機１０を低消費電力モードから通常モードに移行させる親機起動コマンドを親機電灯線通信回路１９が受信した場合である。
【００４０】
親機電力供給回路１８は、親機情報無線通信回路１６へ電力を供給する装置である。親機電力供給回路１８は、親機電源入断切替回路１７および親機電灯線通信回路１９と電力を供給する供給線（矢印の先端が黒塗潰し）によって接続される。親機電力供給回路１８は、親機電灯線通信回路１９から供給された電力を、所定の電力量に設定し、親機電源入断切替回路１７に供給する。
【００４１】
親機電灯線通信回路１９は、ＡＣコード２６を介してコマンドの送受信を行い、電力線搬送通信を行うための回路である。従って、親機電灯線通信回路１９が送受信する情報は、音声信号等は含まず、コマンドのみである。親機電灯線通信回路１９は、ＡＣコード２６と接続されると共に、バスライン２４ともバスラインにより接続される。さらに、親機電灯線通信回路１９は、親機電力供給回路１８とも接続される。親機電灯線通信回路１９に接続されるＡＣコード２６は、商用電源のコンセントであるＡＣコンセント８１と接続される。親機電灯線通信回路１９には、親機１０が通常モードであるか低消費電力モードであるかに拘らず、ＡＣコード２６から電力が常時供給されている。よって、親機電灯線通信回路１９は、常時コマンドの送受信が可能である。
【００４２】
親機電灯線通信回路１９は、ＣＰＵ１２からバスライン２４を介してコマンドを入力すると、その入力したコマンドを電力線搬送方式に変調し、その変調したコマンドをＡＣコード２６へ送信する。ＡＣコード２６へ送信されたコマンドは、ＡＣコンセント８１を介して、商用電源線８３へ出力され、ＡＣコンセント８２へ伝達される。ここで、親機電灯線通信回路１９から送信されるコマンドは、子機６０を低消費電力モードから通常モードに移行させる子機起動コマンドと、子機６０を通常モードから低消費電力モードに移行させる子機低消費電力移行コマンドである。
【００４３】
一方、親機電灯線通信回路１９は、ＡＣコード２６を介してコマンドを受信すると、その受信したコマンドを復調し、その復調したコマンドをバスライン２４へ出力する。出力されたコマンドはＣＰＵ１２に受信される。また、親機電灯線通信回路１９は、ＡＣコード２６から供給される電力を受電し、親機電力供給回路１８へ供給する。ここで、親機電灯線通信回路１９で受信されるコマンドは、親機起動コマンドおよび親機低消費電力移行コマンドである。
【００４４】
次に、充電台４０について説明する。充電台４０は、その子機６０が載置されている場合にはその子機６０に充電を行うと共に、親機１０と子機６０との間で行われるコマンドの通信の中継を行うものである。図１に示すように、充電台４０は、充電台制御装置４１と、充電台ブルートゥース通信回路４５と、子機検出回路４６と、充電台充電回路４７と、充電台電灯線通信回路４８と、ＡＣコード５０とを備えている。
【００４５】
充電台制御装置４１は、バスライン４９を介して、充電台ブルートゥース通信回路４５と、子機検出回路４６と、充電台充電回路４７と、充電台電灯線通信回路４８との制御を行う装置である。充電台制御装置４１は、ＣＰＵ４２とＲＯＭ４３とＲＡＭ４４とを主に有している。
【００４６】
ＣＰＵ４２は、充電台４０の各部を制御する演算装置である。ＲＯＭ４３は、ＣＰＵ４２により実行される制御プログラム（例えば、図５から図７に示す処理のフローチャート）や親機１０へ送信するコマンド（親機低消費電力移行コマンド）および子機６０へ送信するコマンド（子機低消費電力移行コマンド）を格納した書き換え不能な不揮発性のメモリであり、ＲＡＭ４４は、制御プログラムの実行時に各種の情報を一時的に記憶するメモリである。
【００４７】
ＲＡＭ４４には、充電台低消費電力モードフラグ４４ａが設けられている。充電台低消費電力モードフラグ４４ａは、充電台４０が通常モードか、低消費電力モードかを示すフラグである。充電台低消費電力モードフラグ４４ａは、充電台４０の電源が供給された際に実行される初期化処理（図５のＳ３１参照）で、まずオフに設定される。そして、その後に実行される各種処理に応じて、オンオフの設定が切り替えられる。充電台低消費電力モードフラグ４４ａがオフに設定されると、ＣＰＵ４２は、充電台４０が通常モードであると判断する。一方、充電台低消費電力モードフラグ４４ａがオンに設定されると、ＣＰＵ４２は、充電台４０が低消費電力モードであると判断する。
【００４８】
ＣＰＵ４２とＲＯＭ４３とＲＡＭ４４とは、バスライン４９を介して相互に接続されている。よって、充電台４０の電源投入後は、ＣＰＵ４２は、ＲＯＭ４３から制御プログラムを読み出して、その読み出した制御プログラムを実行すると共に、制御プログラムの実行時に各種の情報をＲＡＭ４４に一時的に記憶させると共に、ＲＡＭ４４に記憶された各種情報を読み出して各種制御を実行する。
【００４９】
充電台ブルートゥース通信回路４５は、ブルートゥース（Bluetooth）通信方式の通信技術により、２．４ＧＨｚ帯の周波数を用いて、子機通信回路６８と半径１０メートル乃至１００メートル程度の無線通信を行う装置である。ここで、充電台ブルートゥース通信回路４５が子機通信回路６８と通信する情報は、音声信号等は含まず、コマンドのみである。また、充電台ブルートゥース通信回路４５には、充電台４０が通常モードであるか低消費電力モードであるかに拘らず、電力が常時供給されている。よって、充電台ブルートゥース通信回路４５は、常時コマンドの送受信が可能である。なお、充電台ブルートゥース通信回路４５には、充電台ブルートゥース通信回路４５から出力される高周波電流信号を電波に変換するアンテナ（図示せず）が内蔵されている。
【００５０】
充電台ブルートゥース通信回路４５は、バスライン４９にバスラインにより接続される。充電台ブルートゥース通信回路４５は、ＣＰＵ４２からのコマンドをバスライン４９を介して入力すると、その入力されたコマンドを高周波電流信号に変換し、アンテナから放射する。ここで、充電台ブルートゥース通信回路４５が送信するコマンドは、充電台電灯線通信回路４８が受信した子機起動コマンドおよび子機低消費電力移行コマンドである。
【００５１】
一方、充電台ブルートゥース通信回路４５は、アンテナが受信した高周波電流信号を入力すると、その入力された高周波電流信号から必要となるコマンドを取り出し、バスライン４９へ出力する。出力されたコマンドはＣＰＵ４２に受信される。ここで、充電台ブルートゥース通信回路４５が受信するコマンドは、子機通信回路６８から送信された親機起動コマンドである。
【００５２】
子機検出回路４６は、充電台４０に子機６０が載置された場合に、その子機６０を検出する回路である。子機検出回路４６は、バスライン４９にバスラインによって接続される。充電台４０に子機６０が載置され、その子機６０を子機検出回路４６が検出すると、子機検出信号をバスライン４９に出力する。出力された子機検出信号はＣＰＵ４２に受信される。
【００５３】
充電台充電回路４７は、充電台４０に子機６０が載置された場合に、子機６０に充電を行う装置である。充電台充電回路４７は、バスライン４９にバスラインによって接続されると共に、充電台電灯線通信回路４８と電力を供給する供給線（矢印の先端が黒塗潰し）によって接続される。充電台４０に子機６０が載置され、子機検出回路４６から子機検出信号がバスライン４９に出力されると、出力された子機検出信号はＣＰＵ４２に受信される。そして、充電台充電回路４７は、ＣＰＵ４２からの指示を受け、充電台電灯線通信回路４８から供給された電力を直流に変換し、子機６０へ供給する。
【００５４】
充電台電灯線通信回路４８は、ＡＣコード５０を介してコマンドの送受信を行うための回路である。従って、充電台電灯線通信回路４８が送受信する情報は、音声信号等は含まず、コマンドのみである。充電台電灯線通信回路４８は、ＡＣコード５０と接続されると共に、バスライン４９ともバスラインにより接続される。さらに、充電台電灯線通信回路４８は、充電台充電回路４７とも接続される。充電台電灯線通信回路４８に接続されるＡＣコード５０は、商用電源のコンセントであるＡＣコンセント８２と接続される。充電台電灯線通信回路４８には、充電台４０が通常モードであるか低消費電力モードであるかに拘らず、ＡＣコード５０から電力が常時供給されている。よって、充電台電灯線通信回路４８は、常時コマンドの送受信が可能である。また、充電台電灯線通信回路４８は、ＡＣコード５０から供給される電力を受電し、充電台充電回路４７へ供給している。
【００５５】
充電台電灯線通信回路４８は、ＣＰＵ４２からバスライン４９を介してコマンドを入力すると、その入力したコマンドを電力線搬送方式に変調し、その変調したコマンドをＡＣコード５０へ送信する。ＡＣコード５０へ送信されたコマンドは、ＡＣコンセント８２を介して、商用電源線８３へ出力され、ＡＣコンセント８１へ伝達される。ここで、充電台電灯線通信回路４８が送信するコマンドは、充電台ブルートゥース通信回路４５が受信した親機起動コマンドおよび子機検出回路４６が子機６０を検出した場合の親機低消費電力移行コマンドである。
【００５６】
一方、充電台電灯線通信回路４８は、ＡＣコード５０を介してコマンドを受信すると、その受信したコマンドを復調し、その復調したコマンドをバスライン４９へ出力する。出力されたコマンドはＣＰＵ４２に受信される。ここで、充電台電灯線通信回路４８が受信するコマンドは、親機電灯線通信回路１９から送信される子機起動コマンドおよび子機低消費電力移行コマンドである。
【００５７】
親機１０の親機電灯線通信回路１９と充電台４０の充電台電灯線通信回路４８とは、商用電源線８３を用いて電力線搬送方式によりコマンドの通信を行う。この商用電源線８３を用いた通信は、赤外線による光無線データ通信方式であるIrDA(Infrared Data Association)や、赤外線による高速通信方式であるIrSimpleを用いる場合と比較して、親機電灯線通信回路１９と充電台電灯線通信回路４８とが近距離である必要がない。また、親機電灯線通信回路１９と充電台電灯線通信回路４８とが商用電源線８３を介して信号の通信を行う場合は既存の設備を利用するので、親機電灯線通信回路１９と充電台電灯線通信回路４８との間に有線ＬＡＮを配設する場合と比較して、通信専用の回線を配設する必要がなく、設備投資費が不要となる。更に、親機電灯線通信回路１９と充電台電灯線通信回路４８とが商用電源線８３を介して信号の通信を行う場合は、Bluetooth通信方式を用いる場合と比較して、干渉の可能性が低い。よって、親機１０の親機電灯線通信回路１９と充電台４０の充電台電灯線通信回路４８とのコマンドの通信を、既存の設備を使用して確実に実行することができる。
【００５８】
最後に、子機６０について説明する。子機６０は、親機１０と周波数ホッピング方式のスペクトラム拡散技術により無線通信を行うと共に、充電台４０とブルートゥース方式の無線通信を行うものである。図１に示すように、子機６０は、子機制御装置６１と、パネルＧＡ（パネルゲートアレイ）７２と、操作キー７３と、子機無線通信装置６５と、子機充電回路７０と、充電池７１と、子機通信回路６８と、充電台検出回路６９とを備えている。
【００５９】
子機制御装置６１は、バスライン７４を介して、子機無線通信装置６５と、子機通信回路６８と、充電台検出回路６９と、子機充電回路７０との制御を行うと共に、パネルゲートアレイ（以下、パネルＧＡとする）７２から出力された信号を入力する装置である。子機制御装置６１は、ＣＰＵ６２とＲＯＭ６３とＲＡＭ６４とを主に有している。
【００６０】
ＣＰＵ６２は、子機６０の各部を制御する演算装置である。ＲＯＭ６３は、ＣＰＵ６２により実行される制御プログラム（例えば、図８から図１０に示す処理のフローチャート）や親機１０へ送信するコマンド（親機起動コマンド）を格納した書き換え不能な不揮発性のメモリであり、ＲＡＭ６４は、制御プログラムの実行時に各種の情報を一時的に記憶するメモリである。
【００６１】
ＲＡＭ６４には、子機低消費電力モードフラグ６４ａが設けられている。子機低消費電力モードフラグ６４ａは、子機６０の子機情報無線通信回路６６へ電力が供給される通常モードか、子機情報無線通信回路６６へ電力が遮断される低消費電力モードかを示すフラグである。子機低消費電力モードフラグ６４ａは、子機６０の電源が供給された際に実行される初期化処理（図８のＳ６１参照）で、まずオフに設定される。そして、その後に実行される各種処理に応じて、オンオフの設定が切り替えられる。子機低消費電力モードフラグ６４ａがオフに設定されると、ＣＰＵ６２は、子機６０が通常モードであると判断する。一方、子機低消費電力モードフラグ６４ａがオンに設定されると、ＣＰＵ６２は、子機６０が低消費電力モードであると判断する。
【００６２】
ＣＰＵ６２とＲＯＭ６３とＲＡＭ６４とは、バスライン７４を介して相互に接続されている。よって、子機６０の電源投入後は、ＣＰＵ６２は、ＲＯＭ６３から制御プログラムを読み出して、その読み出した制御プログラムを実行すると共に、制御プログラムの実行時に各種の情報をＲＡＭ６４に一時的に記憶させると共に、ＲＡＭ６４に記憶された各種情報を読み出して各種制御を実行する。
【００６３】
パネルＧＡ７２は、所望の指令を入力する操作キー７３を制御する装置である。パネルＧＡ７２は、操作者により操作される操作キー７３と接続されると共に、バスライン７４にもバスラインによって接続される。操作キー７３が操作者により操作されると、パネルＧＡ７２は、その操作されたキーを検出し、操作されたキーに応じた検出信号をバスライン７４に出力する。出力された検出信号はＣＰＵ６２に受信される。
【００６４】
子機無線通信装置６５は、親機１０と周波数ホッピング方式のスペクトラム拡散技術により無線通信を行う装置であり、子機情報無線通信回路６６と、子機電源入断切替回路６７と、アンテナ７５とを主に有している。子機情報無線通信回路６６は、送信する情報を高周波電流信号に変えてアンテナ７５に送り出す送信装置（図示せず）と、アンテナ７５が受信した高周波電流信号から必要となる情報を取り出す受信装置（図示せず）とが一体化された装置である。また、この他にも、子機情報無線通信回路６６には、発振信号を出力する発振回路や、信号を増幅する増幅回路等が設けられている。
【００６５】
子機情報無線通信回路６６は、アンテナ７５と接続されると共に、バスライン７４にもバスラインによって接続される。また、子機情報無線通信回路６６は、子機電源入断切替回路６７と電力を供給する供給線（矢印の先端が黒塗潰し）によって接続される。子機情報無線通信回路６６は、ＣＰＵ６２からの信号（音声信号や各種コマンド等）をバスライン７４を介して入力すると、その入力された信号を高周波電流信号に変換し、アンテナ７５から放射する。一方、子機情報無線通信回路６６は、アンテナ７５が受信した高周波電流信号を入力すると、その入力された高周波電流信号から必要となる信号（音声信号や各種コマンド等）を取り出し、バスライン７４へ出力する。出力された信号はＣＰＵ６２に受信される。なお、子機情報無線通信回路６６は、子機電源入断切替回路６７から電力が供給されている。従って、子機電源入断切替回路６７によって供給される電力が遮断され、子機６０が通常モードから低消費電力モードに移行すると、子機情報無線通信回路６６による無線通信は不可能となる。
【００６６】
子機電源入断切替回路６７は、子機情報無線通信回路６６への電力の供給と遮断を切り替える制御装置である。子機電源入断切替回路６７は、子機情報無線通信回路６６および充電池７１と電力を供給する供給線（矢印の先端が黒塗潰し）によって接続される。また、子機電源入断切替回路６７は、バスライン７４ともバスラインによって接続される。子機電源入断切替回路６７は、ＣＰＵ６２からバスライン７４を介して電力供給遮断の指示を入力すると、充電池７１から子機情報無線通信回路６６へ供給される電力を遮断し、子機６０を通常モードから低消費電力モードに移行させる。ここで、子機電源入断切替回路６７が充電池７１から子機情報無線通信回路６６へ供給される電力を遮断し、子機６０を通常モードから低消費電力モードに移行させるのは、子機６０を通常モードから低消費電力モードに移行させる子機低消費電力移行コマンドを子機通信回路６８が受信した場合である。
【００６７】
一方、子機電源入断切替回路６７は、ＣＰＵ６２からバスライン２４を介して電力供給の指示が入力されると、充電池７１から子機情報無線通信回路６６へ電力を供給させ、子機６０を低消費電力モードから通常モードに移行させる。ここで、子機電源入断切替回路６７が充電池７１から子機情報無線通信回路６６へ電力を供給し、子機６０を低消費電力モードから通常モードに移行させるのは、操作キー７３のキー入力があった場合および子機６０を低消費電力モードから通常モードに移行させる子機起動コマンドを子機通信回路６８が受信した場合である。
【００６８】
充電池７１は、子機情報無線通信回路６６へ電力を供給する装置である。充電池７１は、子機電源入断切替回路６７および子機充電回路７０と電力を供給する供給線（矢印の先端が黒塗潰し）によって接続される。充電池７１は、子機充電回路７０から供給された電力を、蓄電すると共に所定の電力量に設定し、子機電源入断切替回路６７に供給する。
【００６９】
充電台検出回路６９は、子機６０を充電台４０に載置した場合に、充電台４０を検出する回路である。充電台検出回路６９は、バスライン７４にバスラインによって接続される。子機６０を充電台４０に載置し、充電台検出回路６９が充電台４０を検出すると、充電台検出信号をバスライン７４に出力する。出力された充電台検出信号はＣＰＵ６２に受信される。
【００７０】
子機充電回路７０は、子機６０を充電台４０に載置した場合に、充電台充電回路４７から供給される電力を受電する装置である。子機充電回路７０は、バスライン７４にバスラインによって接続されると共に、充電池７１に接続される。子機６０を充電台４０に載置し、充電台検出回路６９から充電台検出信号がバスライン７４に出力されると、出力された充電台検出信号はＣＰＵ６２に受信される。子機充電回路７０は、ＣＰＵ６２の指示を受け、充電台充電回路４７から供給された電力の受電を開始し、受電した電力を充電池７１へ供給する。
【００７１】
子機通信回路６８は、ブルートゥース（Bluetooth）通信方式の通信技術により、２．４ＧＨｚ帯の周波数を用いて、充電台ブルートゥース通信回路４５と半径１０メートル乃至１００メートル程度の無線通信を行う装置である。ここで、子機通信回路６８が充電台ブルートゥース通信回路４５と通信する情報は、音声信号等は含まず、コマンドのみである。また、子機通信回路６８には、子機６０が通常モードであるか低消費電力モードであるかに拘らず、電力が常時供給されている。よって、子機通信回路６８は、常時コマンドの送受信が可能である。なお、子機通信回路６８には、子機通信回路６８から出力される高周波電流信号を電波に変換するアンテナ（図示せず）が内蔵されている。
【００７２】
子機通信回路６８は、バスライン７４にバスラインによって接続される。子機通信回路６８は、ＣＰＵ６２からのコマンドをバスライン７４を介して入力すると、その入力されたコマンドを高周波電流信号に変換し、アンテナから放射する。ここで、子機通信回路６８が送信するコマンドは、親機起動コマンドである。
【００７３】
一方、子機通信回路６８は、アンテナが受信した高周波電流信号を入力すると、その入力された高周波電流信号から必要となるコマンドを取り出し、バスライン７４へ出力する。出力されたコマンドはＣＰＵ６２に受信される。ここで、子機通信回路６８が受信するコマンドは、充電台ブルートゥース通信回路４５から送信された子機起動コマンドおよび子機低消費電力移行コマンドである。
【００７４】
子機通信回路６８と充電台ブルートゥース通信回路４５とは、無線通信を行うので、子機６０が充電台４０に載置されていない場合でも、充電台４０と子機６０とはコマンドの通信を行うことができる。
【００７５】
上述したとおり、コードレス通信システム１においては、親機１０と子機６０とが通常モードであれば、親機無線通信装置１５と子機無線通信装置６５との間で周波数ホッピング方式のスペクトラム拡散技術により音声信号やコマンド等の無線通信を行う。一方、親機１０と子機６０とが低消費電力モードとなると、親機無線通信装置１５および子機無線通信装置６５への電力供給が遮断され、無線通信が不可能となる。よって、親機１０と子機６０とが低消費電力モードとなると、親機電灯線通信回路１９と子機通信回路６８との間で充電台４０を介してコマンドの通信を行う。
【００７６】
図２は、親機１０の親機制御装置１１で実行されるメイン処理を示したフローチャートである。メイン処理は、親機１０が通常モードである場合の処理である親機通常モード時処理と、親機１０が低消費電力モードである場合の処理である親機低消費電力モード時処理とのどちらか一方を選択する処理であり、親機１０の電源が投入された際に実行される処理である。
【００７７】
メイン処理が実行されると、親機１０の初期化処理を行う（Ｓ１）。ここでは、親機１０の各部の初期化を行うと共に、親機低消費電力モードフラグ１４ａを通常モードであることを示すオフに設定する（Ｓ１）。その後、親機低消費電力モードフラグ１４ａはオフかを判定する（Ｓ２）。親機低消費電力モードフラグ１４ａがオフであると判定された場合は（Ｓ２：Ｙｅｓ）、親機１０が通常モードである場合の処理である親機通常モード時処理（Ｓ３）が実行される。一方、親機低消費電力モードフラグ１４ａがオフでないと判定された場合は（S２：Ｎｏ）、親機１０が低消費電力モードである場合の処理である親機低消費電力モード時処理（Ｓ４）が実行される。
【００７８】
親機通常モード時処理（Ｓ３）または親機低消費電力モード時処理（Ｓ４）のいずれか一方が実行された後は、Ｓ２の処理に戻り、再び親機低消費電力モードフラグ１４ａはオフかを判定する（Ｓ２）。このようにしてメイン処理では、親機低消費電力モードフラグ１４ａの値に応じて、親機通常モード時処理（Ｓ３）または親機低消費電力モード時処理（Ｓ４）の一方が選択され、その選択された処理が実行される。
【００７９】
図３は、親機１０の親機制御装置１１で実行される親機通常モード時処理（Ｓ３）を示したフローチャートである。親機通常モード時処理は、親機低消費電力モードフラグ１４ａのオンにより親機１０が通常モードであるとメイン処理にて判定された場合に実行される処理である。
【００８０】
親機通常モード時処理（Ｓ３）が実行されると、電話回線開放後５分経過しているか、またはキー入力後５分経過しているかが判定される（Ｓ１１）。電話回線開放が通信制御回路２２により検出されると又はキー入力がパネルＧＡ２０により検出されるとＣＰＵ１２は、計時を開始する。そのＣＰＵ１２による計時が５分を経過すると、電話回線開放後５分経過している、またはキー入力後５分経過していると判定され（Ｓ１１：Ｙｅｓ）、子機６０を通常モードから低消費電力モードに移行させるため、親機電灯線通信回路１９から充電台４０へ、子機６０を通常モードから低消費電力モードに移行させる子機低消費電力移行コマンドを送信する（Ｓ１２）。
【００８１】
その後、親機１０を通常モードから低消費電力モードに移行させるため、親機電源入断切替回路１７へ親機電力供給回路１８からの電力の供給遮断を指示する（Ｓ１３）。このＳ１３の処理により、親機情報無線通信回路１６への電力供給は遮断され、親機情報無線通信回路１６による無線通信は不可能となる。ただし、親機１０が低消費電力モードに移行することにより、親機情報無線通信回路１６への電力供給を遮断することができる。よって、低消費電力モード時における親機１０の消費電力を低減することができる。
【００８２】
その後、親機１０の親機低消費電力モードフラグ１４ａを、低消費電力モードに移行していることを示すオンに設定し（Ｓ１４）、この親機通常モード時処理（Ｓ３）を終了する。
【００８３】
Ｓ１１の処理において、電話回線開放後５分経過していない、またはキー入力後５分経過していないと判定されると（Ｓ１１：Ｎｏ）、親機電灯線通信回路１９は親機１０を通常モードから低消費電力モードに移行させる親機低消費電力移行コマンドを受信したかを判定する（Ｓ１５）。
【００８４】
親機電灯線通信回路１９が親機低消費電力移行コマンドを受信したと判定された場合には（Ｓ１５：Ｙｅｓ）、Ｓ１３の処理に移行し、親機電源入断切替回路１７へ親機電力供給回路１８からの電力の供給遮断を指示後（Ｓ１３）、親機１０の親機低消費電力モードフラグ１４ａを、低消費電力モードに移行していることを示すオンに設定し（Ｓ１４）、この親機通常モード時処理（Ｓ３）を終了する。
【００８５】
一方、親機電灯線通信回路１９が親機低消費電力移行コマンドを受信していないと判定された場合には（Ｓ１５：Ｎｏ）、この親機通常モード時処理（Ｓ３）を終了する。
【００８６】
この通常モード時処理（Ｓ３）により、電話回線開放後５分経過する、またはキー入力後５分経過すると、親機電灯線通信回路１９から子機６０へ、子機６０を通常モードから低消費電力モードに移行させる子機低消費電力移行コマンドを送信すると共に、親機電源入断切替回路１７によって親機情報無線通信回路１６への電力供給を遮断する。よって、親機１０が低消費電力モードに移行することにより、親機情報無線通信回路１６への電力供給を遮断することができる。従って、低消費電力モード時における親機１０の消費電力を低減することができる。
【００８７】
図４は、親機１０の親機制御装置１１で実行される親機低消費電力モード時処理（Ｓ４）を示したフローチャートである。親機低消費電力モード時処理は、親機低消費電力モードフラグ１４ａのオフにより親機１０が低消費電力モードであるとメイン処理にて判定された場合に実行される処理である。
【００８８】
親機低消費電力モード時処理（Ｓ４）が実行されると、電話回線２３からの着呼、またはキー入力があるかが判定される（Ｓ２１）。電話回線２３からの着呼が通信制御回路２２により検出されると又はキー入力がパネルＧＡ２０により検出されると（Ｓ２１：Ｙｅｓ）、子機６０を低消費電力モードから通常モードに移行させるため、親機電灯線通信回路１９から充電台４０へ、子機６０を低消費電力モードから通常モードに移行させる子機起動コマンドを送信する（Ｓ２２）。
【００８９】
その後、親機１０を低消費電力モードから通常モードに移行させるため、親機電源入断切替回路１７へ親機電力供給回路１８からの電力の供給を指示する（Ｓ２３）。このＳ２３の処理により、親機情報無線通信回路１６への電力が供給される。その後、親機情報無線通信回路１６の初期化を行い、親機情報無線通信回路１６による無線通信を可能とする（Ｓ２４）。
【００９０】
その後、親機１０の親機低消費電力モードフラグ１４ａを、通常電力モードに移行していることを示すオフに設定し（Ｓ２５）、この親機低消費電力モード時処理（Ｓ４）を終了する。
【００９１】
Ｓ２１の処理において、着呼またはキー入力がないと判定されると（Ｓ２１：Ｎｏ）、親機電灯線通信回路１９は親機１０を低消費電力モードから通常モードに移行させる親機起動コマンドを受信したかを判定する（Ｓ２６）。
【００９２】
親機電灯線通信回路１９が親機起動コマンドを受信したと判定された場合には（Ｓ２６：Ｙｅｓ）、Ｓ２３の処理に移行し、親機電源入断切替回路１７へ親機電力供給回路１８からの電力の供給を指示する（Ｓ２３）。その後、親機情報無線通信回路１６の初期化を行い、親機情報無線通信回路１６による無線通信を可能とした後（Ｓ２４）、親機１０の親機低消費電力モードフラグ１４ａを、通常電力モードに移行していることを示すオフに設定する（Ｓ２５）。そして、この親機低消費電力モード時処理（Ｓ４）を終了する。
【００９３】
一方、親機電灯線通信回路１９が親機起動コマンドを受信していないと判定された場合には（Ｓ２６：Ｎｏ）、この親機低消費電力モード時処理（Ｓ４）を終了する。
【００９４】
この親機低消費電力モード時処理（Ｓ４）により、親機１０が通常モードから低消費電力モードに移行し、親機情報無線通信回路１６への電力供給が遮断されていても、通信制御回路２２が電話回線２３からの着呼を検出する、若しくはパネルＧＡ２０がキー入力を検出することにより、または親機電灯線通信回路１９が親機起動コマンドを受信することにより、親機１０を低消費電力モードから通常モードへ移行させることができる。よって、低消費電力モード時における親機１０の消費電力を低減させるために親機情報無線通信回路１６への電力供給を遮断しても、親機１０を確実に低消費電力モードから通常モードへ移行させて、親機情報無線通信回路１６への電力供給を再開し、子機６０との無線通信を行うことができる。
【００９５】
図５は、充電台４０の充電台制御装置４１で実行されるメイン処理を示したフローチャートである。メイン処理は、充電台４０が通常モードである場合の処理である充電台通常モード時処理と、充電台４０が低消費電力モードである場合の処理である充電台低消費電力モード時処理とのどちらか一方を選択する処理であり、充電台４０の電源が投入された際に実行される処理である。
【００９６】
メイン処理が実行されると、充電台４０の初期化処理を行う（Ｓ３１）。ここでは、充電台４０の各部の初期化を行うと共に、充電台低消費電力モードフラグ４４ａを通常モードであることを示すオフに設定する（Ｓ３１）。その後、充電台低消費電力モードフラグ４４ａはオフかを判定する（Ｓ３２）。充電台低消費電力モードフラグ４４ａがオフであると判定された場合は（Ｓ３２：Ｙｅｓ）、充電台４０が通常モードである場合の処理である充電台通常モード時処理（Ｓ３３）が実行される。一方、充電台低消費電力モードフラグ４４ａがオフでないと判定された場合は（S３２：Ｎｏ）、充電台４０が低消費電力モードである場合の処理である充電台低消費電力モード時処理（Ｓ３４）が実行される。
【００９７】
充電台通常モード時処理（Ｓ３３）または充電台低消費電力モード時処理（Ｓ３４）のいずれか一方が実行された後は、Ｓ３２の処理に戻り、再び充電台低消費電力モードフラグ４４ａはオフかを判定する（Ｓ３２）。このようにしてメイン処理では、充電台低消費電力モードフラグ４４ａの値に応じて、充電台通常モード時処理（Ｓ３３）または充電台低消費電力モード時処理（Ｓ３４）の一方が選択され、その選択された処理が実行される。
【００９８】
図６は、充電台４０の充電台制御装置４１で実行される充電台通常モード時処理（Ｓ３３）を示したフローチャートである。充電台通常モード時処理は、充電台低消費電力モードフラグ４４ａのオンにより充電台４０が通常モードであるとメイン処理にて判定された場合に実行される処理である。
【００９９】
充電台通常モード時処理（Ｓ３３）が実行されると、充電台電灯線通信回路４８は子機低消費電力移行コマンドを受信したかが判定される（Ｓ４１）。充電台電灯線通信回路４８が子機低消費電力移行コマンドを受信したと判定されると（Ｓ４１：Ｙｅｓ）、受信した子機低消費電力移行コマンドを子機６０へ送信するために、子機ブルートゥース通信回路４５から子機６０へ子機低消費電力移行コマンドを送信する（Ｓ４２）。
【０１００】
その後、充電台４０の充電台低消費電力モードフラグ４４ａを、低消費電力モードに移行していることを示すオンに設定し（Ｓ４３）、この充電台通常モード時処理（Ｓ３３）を終了する。
【０１０１】
Ｓ４１の処理において、充電台電灯線通信回路４８が子機低消費電力移行コマンドを受信していないと判定されると（Ｓ４１：Ｎｏ）、子機検出回路４６は子機６０を検出したかを判定する（Ｓ４４）。
【０１０２】
子機検出回路４６が子機６０を検出したと判定されると（Ｓ４４：Ｙｅｓ）、親機１０を通常モードから低消費電力モードに移行させるために、充電台電灯線通信回路４８から親機１０へ親機低消費電力移行コマンドを送信する（Ｓ４５）。このとき、子機６０の子機充電回路７０に充電台充電回路４７から電力が供給され、子機６０への充電が開始される。その後、Ｓ４２の処理に移行し、子機６０を通常モードから低消費電力モードに移行させるために、子機ブルートゥース通信回路４５から子機６０へ子機低消費電力移行コマンドを送信する（Ｓ４２）。
【０１０３】
そして、充電台４０の充電台低消費電力モードフラグ４４ａを、低消費電力モードに移行していることを示すオンに設定し（Ｓ４３）、この充電台通常モード時処理（Ｓ３３）を終了する。
【０１０４】
一方、子機検出回路４６が子機６０を検出していないと判定されると（Ｓ４４：Ｎｏ）、この充電台通常モード時処理（Ｓ３３）を終了する。
【０１０５】
この充電台通常モード時処理（Ｓ３３）においては、子機検出回路４６が子機６０を検出すると、子機６０の子機充電回路７０に充電台充電回路４７から電力が供給され、子機６０への充電が開始される。加えて、子機検出回路４６が子機６０を検出すると、充電台電灯線通信回路４８から親機低消費電力移行コマンドを送信すると共に、充電台ブルートゥース通信回路４５から子機低消費電力移行コマンドを送信する。よって、子機検出回路４６が子機６０を検出する、即ち、子機６０が充電台４０に載置されると、親機１０および子機６０は通常モードから低消費電力モードに移行する。従って、親機１０の親機電源入断切替回路１７によって親機情報無線通信回路１６への電力供給が遮断されると共に、子機６０の子機電源入断切替回路６７によって子機情報無線通信回路６６への電力供給が遮断される。これにより、低消費電力モード時における親機１０および子機６０の消費電力を低減することができる。
【０１０６】
図７は、充電台４０の充電台制御装置４１で実行される充電台低消費電力モード時処理（Ｓ３４）を示したフローチャートである。充電台低消費電力モード時処理は、充電台低消費電力モードフラグ４４ａのオフにより充電台４０が低消費電力モードであるとメイン処理にて判定された場合に実行される処理である。
【０１０７】
充電台低消費電力モード時処理（Ｓ３４）が実行されると、充電台電灯線通信回路４８は、子機起動コマンドを受信したかが判定される（Ｓ５１）。充電台電灯線通信回路４８は、子機起動コマンドを受信したと判定されると（Ｓ５１：Ｙｅｓ）、受信した子機起動コマンドを子機６０へ送信するために、充電台ブルートゥース通信回路４５から子機６０へ子機起動コマンドを送信する（Ｓ５２）。
【０１０８】
その後、充電台４０の充電台低消費電力モードフラグ４４ａを、通常電力モードに移行していることを示すオフに設定し（Ｓ５３）、この充電台低消費電力モード時処理（Ｓ３４）を終了する。
【０１０９】
Ｓ５１の処理において、充電台電灯線通信回路４８は、子機起動コマンドを受信していないと判定されると（Ｓ５１：Ｎｏ）、充電台ブルートゥース通信回路４５は、親機起動コマンドを受信したかを判定する（Ｓ５４）。
【０１１０】
充電台ブルートゥース通信回路４５が、親機起動コマンドを受信したと判定されると（Ｓ５４：Ｙｅｓ）、受信した親機起動コマンドを親機１０へ送信するために、充電台電灯線通信回路４８から親機１０へ親機起動コマンドを送信する（Ｓ５５）。
【０１１１】
その後、充電台４０の充電台低消費電力モードフラグ４４ａを、通常電力モードに移行していることを示すオフに設定し（Ｓ５３）、この充電台低消費電力モード時処理（Ｓ３４）を終了する。
【０１１２】
一方、充電台ブルートゥース通信回路４５は、親機起動コマンドを受信していないと判定されると（Ｓ５４：Ｎｏ）、この充電台低消費電力モード時処理（Ｓ３４）を終了する。
【０１１３】
この充電台低消費電力モード時処理（Ｓ３４）においては、親機１０と子機６０との間に充電台４０が介在しても、充電台電灯線通信回路４８および充電台ブルートゥース回路４５によって親機１０と子機６０との間で行われるコマンドの通信を中継することにより、そのコマンドの通信を妨げることがない。よって、親機１０の親機電灯線通信回路１９から送信されるコマンドを確実に子機通信回路６８へ受信させ、子機６０の通常モードと低消費電力モードとの切り替えを確実に実行できる。加えて、子機６０の子機通信回路６８から送信されるコマンドを確実に親機電灯線通信回路１９へ受信させ、親機１０の通常モードと低消費電力モードとの切り替えを確実に実行できる。
【０１１４】
図８は、子機６０の子機制御装置６１で実行されるメイン処理を示したフローチャートである。メイン処理は、子機６０が通常モードである場合の処理である子機通常モード時処理と、子機６０が低消費電力モードである場合の処理である子機低消費電力モード時処理とのどちらか一方を選択する処理であり、子機６０の電源が投入された際に実行される処理である。
【０１１５】
メイン処理が実行されると、子機６０の初期化処理を行う（Ｓ６１）。ここでは、子機６０の各部の初期化を行うと共に、子機低消費電力モードフラグ６４ａを通常モードであることを示すオフに設定する（Ｓ６１）。その後、子機低消費電力モードフラグ６４ａはオフかを判定する（Ｓ６２）。子機低消費電力モードフラグ６４ａがオフであると判定された場合は（Ｓ６２：Ｙｅｓ）、子機６０が通常モードである場合の処理である子機通常モード時処理（Ｓ６３）が実行される。一方、子機低消費電力モードフラグ６４ａがオフでないと判定された場合は（Ｓ６２：Ｎｏ）、子機６０が低消費電力モードである場合の処理である子機低消費電力モード時処理（Ｓ６４）が実行される。
【０１１６】
子機通常モード時処理（Ｓ６３）または子機低消費電力モード時処理（Ｓ６４）のいずれか一方が実行された後は、Ｓ６２の処理に戻り、再び子機低消費電力モードフラグ６４ａはオフかを判定する（Ｓ６２）。このようにしてメイン処理では、子機低消費電力モードフラグ６４ａの値に応じて、子機通常モード時処理（Ｓ６３）または子機低消費電力モード時処理（Ｓ６４）の一方が選択され、その選択された処理が実行される。
【０１１７】
図９は、子機６０の子機制御装置６１で実行される子機通常モード時処理（Ｓ６３）を示したフローチャートである。子機通常モード時処理は、子機低消費電力モードフラグ６４ａのオンにより子機６０が通常モードであるとメイン処理にて判定された場合に実行される処理である。
【０１１８】
子機通常モード時処理（Ｓ６３）が実行されると、子機通信回路６８は、子機低消費電力移行コマンドを受信したかが判定される（Ｓ７１）。子機通信回路６８が、子機低消費電力移行コマンドを受信したと判定されると（Ｓ７１：Ｙｅｓ）、子機６０を通常モードから低消費電力モードに移行させるため、子機電源入断切替回路６７へ充電池７１からの電力の供給遮断を指示する（Ｓ７２）。
【０１１９】
その後、子機６０の子機低消費電力モードフラグ６４ａを、子機６０が低消費電力モードに移行していることを示すオンに設定し（Ｓ７３）、この子機通常モード時処理（Ｓ５３）を終了する。
【０１２０】
Ｓ６１の処理において、子機通信回路６８が、子機低消費電力移行コマンドを受信していないと判定されると（Ｓ７１：Ｎｏ）、子機６０を通常モードのままにするために、この子機通常モード時処理（Ｓ６３）を終了する。
【０１２１】
この通常モード時処理（Ｓ６３）により、子機通信回路６８が子機低消費電力移行コマンドを受信すると、子機電源入断切替回路６７によって充電池７１から子機情報無線通信回路６６への電力供給を遮断する。よって、子機６０が低消費電力モードに移行することにより、子機情報無線通信回路６６への電力供給を遮断することができる。従って、低消費電力モード時における子機６０の消費電力を低減することができる。
【０１２２】
図１０は、子機６０の子機制御装置６１で実行される子機低消費電力モード時処理（Ｓ６４）を示したフローチャートである。子機低消費電力モード時処理は、子機低消費電力モードフラグ６４ａのオフにより子機６０が低消費電力モードであるとメイン処理にて判定された場合に実行される処理である。
【０１２３】
子機低消費電力モード時処理（Ｓ６４）が実行されると、子機通信回路６８は、子機起動コマンドを受信したかが判定される（Ｓ８１）。子機通信回路６８が、子機起動コマンドを受信したと判定されると（Ｓ８１：Ｙｅｓ）、子機６０を低消費電力モードから通常モードに移行させるため、子機電源入断切替回路６７へ充電池７１からの電力供給を指示する（Ｓ８２）。このＳ８２の処理により、子機情報無線通信回路６６への電力が供給される。その後、子機情報無線通信回路６６の初期化を行い、子機情報無線通信回路６６による無線通信を可能とする（Ｓ８３）。
【０１２４】
その後、子機６０の子機低消費電力モードフラグ６４ａを、子機６０が通常電力モードに移行していることを示すオフに設定し（Ｓ８４）、この子機低消費電力モード時処理（Ｓ６４）を終了する。
【０１２５】
Ｓ８１の処理において、子機通信回路６８が、子機起動コマンドを受信していないと判定されると（Ｓ８１：Ｎｏ）、キー入力があるかが判定される（Ｓ８５）。キー入力がパネルＧＡ７２により検出されると、キー入力があると判定され（Ｓ８５：Ｙｅｓ）、親機１０を低消費電力モードから通常モードに移行させるため、子機通信回路６８から充電台４０へ、親機起動コマンドを送信する（Ｓ８６）。
【０１２６】
その後、子機６０を低消費電力モードから通常モードに移行させるため、Ｓ７２からＳ７４の処理を実行し、この子機低消費電力モード時処理（Ｓ６４）を終了する。
【０１２７】
一方、Ｓ８５の処理において、キー入力がないと判定されると（Ｓ８５：Ｎｏ）、この子機低消費電力モード時処理（Ｓ６４）を終了する。
【０１２８】
この子機低消費電力モード時処理（Ｓ６４）により、子機６０が通常モードから低消費電力モードに移行し、子機情報無線通信回路６６への電力供給が遮断されていても、子機通信回路６８が子機起動コマンドを受信する又はキー入力がパネルＧＡ７２により検出されると、子機６０を低消費電力モードから通常モードへ移行させることができる。よって、低消費電力モード時における子機６０の消費電力を低減させるために子機情報無線通信回路６６への電力供給を遮断しても、子機６０を確実に低消費電力モードから通常モードへ移行させて、子機情報無線通信回路６６への電力供給を再開し、親機１０との無線通信を行うことができる。
【０１２９】
上述した通り、本実施の形態によれば、電話回線開放後５分経過する、またはキー入力後５分経過すると、親機電灯線通信回路１９から子機６０へ、子機６０を通常モードから低消費電力モードに移行させる子機低消費電力移行コマンドを送信すると共に、親機電源入断切替回路１７によって親機情報無線通信回路１６への電力供給を遮断する。よって、親機１０が低消費電力モードに移行することにより、親機情報無線通信回路１６への電力供給を遮断することができる。従って、低消費電力モード時における親機１０の消費電力を低減することができる。
【０１３０】
また、本実施の形態によれば、子機通信回路６８が子機低消費電力移行コマンドを受信すると、子機電源入断切替回路６７によって充電池７１から子機情報無線通信回路６６への電力供給を遮断する。よって、子機６０が低消費電力モードに移行することにより、子機情報無線通信回路６６への電力供給を遮断することができる。従って、低消費電力モード時における子機６０の消費電力を低減することができる。
【０１３１】
更に、本実施の形態によれば、親機１０が通常モードから低消費電力モードに移行し、親機情報無線通信回路１６への電力供給が遮断されていても、通信制御回路２２が電話回線２３からの着呼を検出する、若しくはパネルＧＡ２０がキー入力を検出することにより、または親機電灯線通信回路１９が親機起動コマンドを受信することにより、親機１０を低消費電力モードから通常モードへ移行させることができる。よって、低消費電力モード時における親機１０の消費電力を低減させるために親機情報無線通信回路１６への電力供給を遮断しても、親機１０を確実に低消費電力モードから通常モードへ移行させて、親機情報無線通信回路１６への電力供給を再開し、子機６０との無線通信を行うことができる。
【０１３２】
また、本実施の形態によれば、子機６０が通常モードから低消費電力モードに移行し、子機情報無線通信回路６６への電力供給が遮断されていても、子機通信回路６８が子機起動コマンドを受信する又はキー入力がパネルＧＡ７２により検出されると、子機６０を低消費電力モードから通常モードへ移行させることができる。よって、低消費電力モード時における子機６０の消費電力を低減させるために子機情報無線通信回路６６への電力供給を遮断しても、子機６０を確実に低消費電力モードから通常モードへ移行させて、子機情報無線通信回路６６への電力供給を再開し、親機１０との無線通信を行うことができる。
【０１３３】
次に、図１１から図１３を参照して第２の実施の形態について説明する。図１１は、第２の実施の形態におけるコードレス通信システム１の電気的構成を示している。なお、前述した第１の実施の形態と同一の部分については、同一の符号を付し、その説明を省略するものとする。
【０１３４】
図１１に示すように、第２の実施の形態におけるコードレス通信システム１は、第１の実施の形態の充電台４０が親機９０と一体化された構造となっている。よって、第２の実施の形態のコードレス通信システム１は、親機９０に充電台ブルートゥース通信回路４５と子機検出回路４６と充電台充電回路４７とが内蔵されている。また、第２の実施の形態のコードレス通信システム１は、親機電灯線通信回路１９と、充電台電灯線通信回路４８と、充電台制御装置４１とを有していない点で第１の実施の形態とは異なる。これにより、親機９０と子機６０とは、親機９０の充電台ブルートゥース通信回路４５と子機通信回路６８との間でコマンドの通信を行う。なお、子機６０については、第１の実施の形態と全て同一であるので、その説明を省略する。
【０１３５】
このコードレス通信システム１においては、充電台ブルートゥース通信回路４５と子機検出回路４６と充電台充電回路４７とが、それぞれバスライン２４とバスラインにより接続されている。充電台ブルートゥース通信回路４５は、ＣＰＵ１２からのコマンドをバスライン２４を介して入力すると、その入力されたコマンドを高周波電流信号に変換し、充電台ブルートゥース通信回路４５に内蔵されたアンテナから放射する。ここで、充電台ブルートゥース通信回路４５が送信するコマンドは、子機起動コマンドおよび子機低消費電力移行コマンドである。
【０１３６】
一方、充電台ブルートゥース通信回路４５は、アンテナが受信した高周波電流信号を入力すると、その入力された高周波電流信号から必要となるコマンドを取り出し、バスライン２４へ出力する。出力されたコマンドはＣＰＵ１２に受信される。ここで、充電台ブルートゥース通信回路４５が受信するコマンドは、子機通信回路６８から送信された親機起動コマンドである。
【０１３７】
子機検出回路４６は、充電台４０に子機６０が載置され、その子機６０を子機検出回路４６が検出すると、子機検出信号をバスライン２４に出力する。出力された子機検出信号はＣＰＵ１２に受信される。
【０１３８】
充電台充電回路４７は、バスライン２４にバスラインによって接続されると共に、ＡＣコンセント８１と電力を供給する供給線（矢印の先端が黒塗潰し）によって接続される。充電台４０に子機６０が載置され、子機検出回路４６から子機検出信号がバスライン２４に出力されると、出力された子機検出信号はＣＰＵ１２に受信される。そして、充電台充電回路４７は、ＣＰＵ１２からの指示を受け、ＡＣコンセント８１から供給された電力を直流に変換し、子機６０へ供給する。
【０１３９】
図１２は、親機９０の親機制御装置１１で実行される親機通常モード時処理（Ｓ３）を示したフローチャートである。親機通常モード時処理は、親機低消費電力モードフラグ１４ａのオンにより親機９０が通常モードであるとメイン処理（図２参照）にて判定された場合に実行される処理である。
【０１４０】
親機通常モード時処理（Ｓ３）が実行されると、電話回線開放後５分経過しているか、またはキー入力後５分経過しているかが判定される（Ｓ９１）。電話回線開放が通信制御回路２２により検出されると又はキー入力がパネルＧＡ２０により検出されるとＣＰＵ１２は、計時を開始する。そのＣＰＵ１２による計時が５分を経過すると、電話回線開放後５分経過している、またはキー入力後５分経過していると判定され（Ｓ９１：Ｙｅｓ）、子機６０を通常モードから低消費電力モードに移行させるため、充電台ブルートゥース通信回路４５から子機６０へ、子機６０を通常モードから低消費電力モードに移行させる子機低消費電力移行コマンドを送信する（Ｓ９２）。
【０１４１】
その後、親機９０を通常モードから低消費電力モードに移行させるため、親機電源入断切替回路１７へ親機電力供給回路１８からの電力の供給遮断を指示する（Ｓ９３）。このＳ９３の処理により、親機情報無線通信回路１６への電力供給は遮断され、親機情報無線通信回路１６による無線通信は不可能となる。ただし、親機９０が低消費電力モードに移行することにより、親機情報無線通信回路１６への電力供給を遮断することができる。よって、低消費電力モード時における親機９０の消費電力を低減することができる。
【０１４２】
その後、親機９０の親機低消費電力モードフラグ１４ａを、低消費電力モードに移行していることを示すオンに設定し（Ｓ９４）、この親機通常モード時処理（Ｓ３）を終了する。
【０１４３】
Ｓ９１の処理において、電話回線開放後５分経過していない、またはキー入力後５分経過していないと判定されると（Ｓ９１：Ｎｏ）、子機検出回路４６は子機６０を検出したかを判定する（Ｓ９５）。子機６０が親機９０と一体化された充電台４０に載置されることにより、子機検出回路４６が子機６０を検出したと判定された場合には（Ｓ９５：Ｙｅｓ）、Ｓ９２の処理に移行し、子機６０を通常モードから低消費電力モードに移行させるため、充電台ブルートゥース通信回路４５から子機６０へ、子機６０を通常モードから低消費電力モードに移行させる子機低消費電力移行コマンドを送信する（Ｓ９２）。
【０１４４】
その後、親機９０を通常モードから低消費電力モードに移行させるためにＳ９３の処理を実行し、親機９０の親機低消費電力モードフラグ１４ａを変更するためにＳ９４の処理を実行して、この親機通常モード時処理（Ｓ３）を終了する。
【０１４５】
一方、Ｓ９５の処理において、子機検出回路４６が子機６０を検出していないと判定されると（Ｓ９５：Ｎｏ）、この親機通常モード時処理（Ｓ３）を終了する。
【０１４６】
この通常モード時処理（Ｓ３）により、電話回線開放後５分経過する、またはキー入力後５分経過すると、親機９０の充電台ブルートゥース通信回路４５から子機６０へ、子機６０を通常モードから低消費電力モードに移行させる子機低消費電力移行コマンドを送信すると共に、親機電源入断切替回路１７によって親機情報無線通信回路１６への電力供給を遮断する。よって、親機９０が低消費電力モードに移行することにより、親機情報無線通信回路１６への電力供給を遮断することができる。従って、低消費電力モード時における親機９０の消費電力を低減することができる。
【０１４７】
図１３は、親機９０の親機制御装置１１で実行される親機低消費電力モード時処理（Ｓ４）を示したフローチャートである。親機低消費電力モード時処理は、親機低消費電力モードフラグ１４ａのオフにより親機９０が低消費電力モードであるとメイン処理にて判定された場合に実行される処理である。
【０１４８】
親機低消費電力モード時処理（Ｓ４）が実行されると、電話回線２３からの着呼、またはキー入力があるかが判定される（Ｓ１０１）。電話回線２３からの着呼が通信制御回路２２により検出されると又はキー入力がパネルＧＡ２０により検出されると（Ｓ１０１：Ｙｅｓ）、子機６０を低消費電力モードから通常モードに移行させるため、充電台ブルートゥース通信回路４５から子機６０へ、子機６０を低消費電力モードから通常モードに移行させる子機起動コマンドを送信する（Ｓ１０２）。
【０１４９】
その後、親機９０を低消費電力モードから通常モードに移行させるため、親機電源入断切替回路１７へ親機電力供給回路１８からの電力の供給を指示する（Ｓ１０３）。このＳ１０３の処理により、親機情報無線通信回路１６への電力が供給される。その後、親機情報無線通信回路１６の初期化を行い、親機情報無線通信回路１６による無線通信を可能とする（Ｓ１０４）。
【０１５０】
その後、親機９０の親機低消費電力モードフラグ１４ａを、通常電力モードに移行していることを示すオフに設定し（Ｓ１０５）、この親機低消費電力モード時処理（Ｓ４）を終了する。
【０１５１】
Ｓ９１の処理において、着呼またはキー入力がないと判定されると（Ｓ１０１：Ｎｏ）、充電台ブルートゥース通信回路４５は親機９０を低消費電力モードから通常モードに移行させる親機起動コマンドを受信したかを判定する（Ｓ１０６）。
【０１５２】
充電台ブルートゥース通信回路４５が親機起動コマンドを受信したと判定された場合には（Ｓ１０６：Ｙｅｓ）、Ｓ１０３の処理に移行し、親機電源入断切替回路１７へ親機電力供給回路１８からの電力の供給を指示する（Ｓ１０３）。その後、親機情報無線通信回路１６の初期化を行い、親機情報無線通信回路１６による無線通信を可能として（Ｓ１０４）、親機９０の親機低消費電力モードフラグ１４ａを、通常電力モードに移行していることを示すオフに設定する（Ｓ１０５）。その後、この親機低消費電力モード時処理（Ｓ４）を終了する。
【０１５３】
一方、充電台ブルートゥース通信回路４５が親機起動コマンドを受信していないと判定された場合には（Ｓ１０６：Ｎｏ）、この親機低消費電力モード時処理（Ｓ４）を終了する。
【０１５４】
この親機低消費電力モード時処理（Ｓ４）により、親機９０が通常モードから低消費電力モードに移行し、親機情報無線通信回路１６への電力供給が遮断されていても、通信制御回路２２が電話回線２３からの着呼を検出する、若しくはパネルＧＡ２０がキー入力を検出することにより、または充電台ブルートゥース通信回路４５が親機起動コマンドを受信することにより、親機９０を低消費電力モードから通常モードへ移行させることができる。よって、低消費電力モード時における親機９０の消費電力を低減させるために、親機情報無線通信回路１６への電力供給を遮断することにより、親機９０の無線通信が不可能であっても、通信制御回路２２が電話回線２３からの着呼を検出する、若しくはパネルＧＡ２０がキー入力を検出することにより、または充電台ブルートゥース通信回路４５が親機起動コマンドを受信することにより、親機９０を確実に低消費電力モードから通常モードへ移行させることができる。
【０１５５】
上述した通り、第２の実施の形態によれば、電話回線開放後５分経過する、またはキー入力後５分経過すると、親機９０の充電台ブルートゥース通信回路４５から子機６０へ、子機６０を通常モードから低消費電力モードに移行させる子機低消費電力移行コマンドを送信すると共に、親機電源入断切替回路１７によって親機情報無線通信回路１６への電力供給を遮断する。よって、親機９０が低消費電力モードに移行することにより、親機情報無線通信回路１６への電力供給を遮断することができる。従って、低消費電力モード時における親機９０の消費電力を低減することができる。
【０１５６】
また、第２の実施の形態によれば、親機９０が通常モードから低消費電力モードに移行し、親機情報無線通信回路１６への電力供給が遮断されていても、通信制御回路２２が電話回線２３からの着呼を検出する、若しくはパネルＧＡ２０がキー入力を検出することにより、または充電台ブルートゥース通信回路４５が親機起動コマンドを受信することにより、親機９０を低消費電力モードから通常モードへ移行させることができる。よって、低消費電力モード時における親機９０の消費電力を低減させるために親機情報無線通信回路１６への電力供給を遮断しても、親機１０を確実に低消費電力モードから通常モードへ移行させて、親機情報無線通信回路１６への電力供給を再開し、子機６０との無線通信を行うことができる。
【０１５７】
以上、各実施の形態に基づき本発明を説明したが、本発明は上記形態に何ら限定されるものではなく、本発明の趣旨を逸脱しない範囲内で種々の変形改良が可能であることは容易に推察できるものである。
【０１５８】
例えば、上記の各実施の形態では、子機６０が親機１０または親機９０を通常モードから低消費電力モードに移行させる親機低消費電力移行コマンドを送信する場合はなかった。しかし、親機１０または親機９０との無線通信が終了し、子機情報無線通信回路６６が無線通信終了を検出したとき、またはパネルＧＡ７２がキー入力を検出したときにＣＰＵ６２が計時を開始して、そのＣＰＵ６２による計時が所定時間を経過すると、子機通信回路６８から親機低消費電力移行コマンドを送信すると共に、子機制御装置６１が子機電源入断切替回路６７へ充電池７１からの電力供給を遮断する指示をするようにしても良い。この場合には、子機６０が低消費電力モードに移行することにより、子機情報無線通信回路６６への電力供給を遮断することができる。従って、低消費電力モード時における子機６０の消費電力を低減することができる。なお、親機低消費電力移行コマンドを送信するのは、子機通信回路６８ではなく、子機情報無線通信回路６６でも良い。
【０１５９】
また、上記の各実施の形態では、子機６０が充電台４０に載置されたときに、子機検出回路４６が子機６０を検出し、充電台ブルートゥース通信回路４５から子機６０を通常モードから低消費電力モードに移行させる子機低消費電力移行コマンドが送信され、この送信された子機低消費電力移行コマンドを子機通信回路６８が受信することにより、子機６０が低消費電力モードとなるように構成されていた。しかし、これに限らず、子機６０が充電台４０に載置されたときに、子機６０の充電台検出回路６９が充電台４０を検出し、その検出により子機電源入断切替回路６７へ充電池７１からの電力遮断を指示しても良い。この場合は、子機６０が充電台４０に載置されたときに、充電台ブルートゥース通信回路４５から子機低消費電力移行コマンドを送信する必要がないので、子機６０を低消費電力モードに移行させる処理を簡略化することができる。
【０１６０】
また、例えば、上記の第１の実施の形態では、子機６０へのキー入力がパネルＧＡ７２により検出されると、子機６０を低消費電力モードから通常モードへ移行させた。しかし、これに限定されず、充電台４０に載置された子機６０が充電台４０から取り外された場合には、充電台４０の子機検出回路４６が子機６０を検出している状態から未検出状態となるので、子機検出回路４６が未検出状態となったときに、充電台ブルートゥース通信回路４５から子機起動コマンドを送信すると共に、充電台電灯線通信回路４８から親機起動コマンドを送信するようにしても良い。この場合には、充電台４０から子機６０が取り外されると、親機１０または親機９０、充電台４０、および子機６０を低消費電力モードから通常モードへ切り替えることができる。
【０１６１】
更には、充電台４０に載置された子機６０が充電台４０から取り外された場合には、子機６０の充電台検出回路６９が充電台４０を検出している状態から未検出状態となるので、充電台検出回路６９が未検出状態となったときに、子機通信回路６８から親機起動コマンドを送信すると共に、子機電源入断切替回路６７へ充電池７１からの電力供給を指示しても良い。この場合にも、充電台４０から子機６０が取り外されると、親機１０または親機９０、充電台４０、および子機６０を低消費電力モードから通常モードへ切り替えることができる。
【０１６２】
また、上記の各実施の形態では、子機低消費移行コマンドを送信するのは、親機１０のときは親機電灯線通信回路１９であった。しかし、これに限定されず、子機低消費移行コマンドを送信するのは、親機１０の親機情報無線通信回路１６であっても良い。
【図面の簡単な説明】
【０１６３】
【図１】本実施形態におけるコードレス通信システムの電気的構成を示したブロック図である。
【図２】親機の親機制御装置で実行されるメイン処理を示したフローチャートである。
【図３】親機の親機制御装置で実行される親機通常モード時処理を示したフローチャートである。
【図４】親機の親機制御装置で実行される親機低消費電力モード時処理を示したフローチャートである。
【図５】充電台の充電台制御装置で実行されるメイン処理を示したフローチャートである。
【図６】充電台の充電台制御装置で実行される充電台通常モード時処理を示したフローチャートである。
【図７】充電台の充電台制御装置で実行される充電台低消費電力モード時処理を示したフローチャートである。
【図８】子機の子機制御装置で実行されるメイン処理を示したフローチャートである。
【図９】子機の子機制御装置で実行される子機通常モード時処理を示したフローチャートである。
【図１０】子機の子機制御装置で実行される子機低消費電力モード時処理を示したフローチャートである。
【図１１】第２の実施の形態におけるコードレス通信システムの電気的構成を示したブロック図である。
【図１２】第２の実施の形態における親機の親機制御装置で実行される親機通常モード時処理を示したフローチャートである。
【図１３】第２の実施の形態における親機の親機制御装置で実行される親機低消費電力モード時処理を示したフローチャートである。
【符号の説明】
【０１６４】
１        コードレス通信システム
１０      親機
１１      親機制御装置（親機起動制御手段、親機停止制御手段、第２親機起動制御手段、第２親機停止制御手段）
１６      親機情報無線通信回路（親機無線通信手段）
１７      親機電源入断切替回路（親機切替手段）
１９      親機電灯線通信回路（親機通信手段）
２０      パネルゲートアレイ（親機入力検出手段）
２２      通信制御回路（親機着呼検出手段）
２３      電話回線（通信回線）
４０      充電台
４１      充電台制御装置（充電台通信制御手段）
４５      充電台ブルートゥース通信回路（第２中継通信手段）
４６      子機検出回路（子機検出手段）
４７      充電台充電回路（充電手段）
４８      充電台電灯線通信回路（第１中継通信手段）
６０      子機
６２      子機制御装置（子機起動制御手段、子機停止制御手段、第２子機起動制御手段、無線通信検出手段の一部、第２子機停止制御手段）
６６      子機情報無線通信回路（子機無線通信手段、無線通信検出手段の一部）
６７      子機電源入断切替回路（子機切替手段）
６８      子機通信回路（子機通信手段）
７２      パネルゲートアレイ（子機入力検出手段）
９０      親機
【図１】
2008166986.tif 000003
【図２】
2008166986.tif 000004
【図３】
2008166986.tif 000005
【図４】
2008166986.tif 000006
【図５】
2008166986.tif 000007
【図６】
2008166986.tif 000008
【図７】
2008166986.tif 000009
【図８】
2008166986.tif 000010
【図９】
2008166986.tif 000011
【図１０】
2008166986.tif 000012
【図１１】
2008166986.tif 000013
【図１２】
2008166986.tif 000014
【図１３】
2008166986.tif 000015